(57)【要約】【課題】  点検作業時の安全を増すために乗りかごの動きを根本的に制限する機構と、この機構の機能を誤って無効にしてしまう操作を防止するインターロック機能とを備えたエレベータ装置を提供する。【解決手段】  乗りかご４にロープ５で繋がれたカウンタウエイト６とカウンタウエイト用ガイドレール７とに差し込まれ乗りかご４の動きを機械的に固定するストッパピン１０と、通常運転時は収納され点検作業時に乗りかご４の昇降域に組み立てられる点検作業台３と、カウンタウエイト６とガイドレール７とにストッパピン１０を差し込まないときは点検作業台３を収納位置にロックする電気錠１３と、点検作業台３を格納しないときはストッパピン１０をカウンタウエイト６とガイドレール７とにロックする電気錠１６とを備えた。カウンタウエイト６を機械的に固定しないでは点検できないし、点検中に機械的固定を無効にできないので、安全である。【選択図】        図１
2005179015.tif 000002
【特許請求の範囲】
【請求項１】
乗りかごにロープで繋がれたカウンタウエイトとカウンタウエイト用ガイドレールとに差し込まれ前記乗りかごの動きを機械的に固定するストッパピンを備えたことを特徴とするエレベータ装置。
【請求項２】
請求項１に記載のエレベータ装置において、
前記カウンタウエイトと前記カウンタウエイト用ガイドレールとに前記ストッパピンを差し込んだときに前記乗りかごの運転を停止させるスイッチを備えたことを特徴とするエレベータ装置。
【請求項３】
請求項１または２に記載のエレベータ装置において、
通常運転時は収納され点検作業時に前記乗りかごの昇降域に組み立てられる点検作業台と、
前記点検作業台を収納していないときに前記乗りかごの運転を停止させるスイッチとを備えたことを特徴とするエレベータ装置。
【請求項４】
乗りかごにロープで繋がれたカウンタウエイトとカウンタウエイト用ガイドレールとに差し込まれ前記乗りかごの動きを機械的に固定するストッパピンと、
通常運転時は収納され点検作業時に前記乗りかごの昇降域に組み立てられる点検作業台と、
前記カウンタウエイトと前記カウンタウエイト用ガイドレールとに前記ストッパピンを差し込まないときは前記点検作業台を収納位置にロックする電気錠とを備えたことを特徴とするエレベータ装置。
【請求項５】
乗りかごにロープで繋がれたカウンタウエイトとカウンタウエイト用ガイドレールとに差し込まれ前記乗りかごの動きを機械的に固定するストッパピンと、
通常運転時は収納され点検作業時に前記乗りかごの昇降域に組み立てられる点検作業台と、
前記点検作業台を格納しないときは前記ストッパピンを前記カウンタウエイトと前記カウンタウエイト用ガイドレールとにロックする電気錠とを備えたことを特徴とするエレベータ装置。
【請求項６】
乗りかごにロープで繋がれたカウンタウエイトとカウンタウエイト用ガイドレールとに差し込まれ前記乗りかごの動きを機械的に固定するストッパピンと、
通常運転時は収納され点検作業時に前記乗りかごの昇降域に組み立てられる点検作業台と、
前記カウンタウエイトと前記カウンタウエイト用ガイドレールとに前記ストッパピンを差し込まないときは前記点検作業台を収納位置にロックする電気錠と、
前記点検作業台を格納しないときは前記ストッパピンを前記カウンタウエイトと前記カウンタウエイト用ガイドレールとにロックする電気錠とを備えたことを特徴とするエレベータ装置。
【請求項７】
請求項４ないし６のいずれか一項に記載のエレベータ装置において、
前記カウンタウエイトと前記カウンタウエイト用ガイドレールとに前記ストッパピンを差し込んだときに前記乗りかごの運転を停止させるスイッチを備えたことを特徴とするエレベータ装置。
【請求項８】
請求項４ないし７のいずれか一項に記載のエレベータ装置において、
前記点検作業台を収納していないときに前記乗りかごの運転を停止させるスイッチを備えたことを特徴とするエレベータ装置。
【発明の詳細な説明】
【技術分野】
【０００１】
本発明は、エレベータ装置に係り、特に、エレベータ昇降路内で点検作業をする際に、作業員の安全を確保するための装置に関する。
【背景技術】
【０００２】
機械室の無いエレベータにおいては、制御盤を機械室に設置できないので、昇降路内に設置する。エレベータ昇降路内のピットから手の届かない範囲の機器を点検する場合は、点検作業者の足場確保のために点検作業台が必要である。
【０００３】
しかし、昇降路は、乗りかごが昇降する空間であり、点検作業台を固定的に設置しておくと乗りかごと衝突し、機器を破損する。そこで、点検作業台は、固定式ではなく折り畳み式とし、エレベータ運転中は折り畳んで収納し、点検作業時のみ組み立て設置する構成としている。
【０００４】
このような構成で、点検作業台を組み立て設置している状態で、万が一エレベータが走行すると、乗りかごと点検作業台とが衝突し、やはり機器が破損する。また、点検作業台上で点検中であれば、作業者の負傷につながる。
【０００５】
このような機器の破損や作業者の負傷を防止するには、点検作業台が設置されている状態では、エレベータを停止状態にする必要があり、点検作業台の設置または収納状態を検出する手段を設け、その検出結果に応じて、エレベータを停止または運転に切り替えていた(例えば、特許文献１参照)。
【０００６】
【特許文献１】特開２００１−１９９６４７号公報(第２〜３頁  図１〜図３)
【発明の開示】
【発明が解決しようとする課題】
【０００７】
前記方法は、点検作業時、電気的に乗りかごの動きを制限するのみであった。したがって、何らかのノイズが入った場合、または、点検作業中であることを知らない第三者が、強制的に電源を投入した場合、エレベータを停止状態に保てないおそれがあった。
【０００８】
本発明の目的は、点検作業時の安全を増すために乗りかごの動きを根本的に制限する機構を備えたエレベータ装置を提供することである。
【０００９】
本発明の他の目的は、上記機構の機能を誤って無効にしてしまう操作を防止するインターロック機能を備えたエレベータ装置を提供することである。
【課題を解決するための手段】
【００１０】
本発明は、上記目的を達成するために、乗りかごにロープで繋がれたカウンタウエイトとカウンタウエイト用ガイドレールとに差し込まれ乗りかごの動きを機械的に固定するストッパピンを備えたエレベータ装置を提案する。
【００１１】
カウンタウエイトとカウンタウエイト用ガイドレールとにストッパピンを差し込んだときに乗りかごの運転を停止させるスイッチを備えることができる。
【００１２】
また、通常運転時は収納され点検作業時に乗りかごの昇降域に組み立てられる点検作業台と、この点検作業台を収納していないときに乗りかごの運転を停止させるスイッチとを備えてもよい。
【００１３】
本発明においては、乗りかごにロープで繋がれたカウンタウエイトとカウンタウエイト用ガイドレールとに差し込むと乗りかごの動きを機械的に制限する装置を設けたので、何らかのノイズが入った場合、または、点検作業中であることを知らない第三者が、強制的に電源を投入した場合でも、エレベータ装置を停止状態に保てる。
【００１４】
本発明は、上記他の目的を達成するために、乗りかごにロープで繋がれたカウンタウエイトとカウンタウエイト用ガイドレールとに差し込まれ乗りかごの動きを機械的に固定するストッパピンと、通常運転時は収納され点検作業時に乗りかごの昇降域に組み立てられる点検作業台と、カウンタウエイトとカウンタウエイト用ガイドレールとにストッパピンを差し込まないときは点検作業台を収納位置にロックする電気錠とを備えたエレベータ装置を提案する。
【００１５】
本発明は、また、乗りかごにロープで繋がれたカウンタウエイトとカウンタウエイト用ガイドレールとに差し込まれ乗りかごの動きを機械的に固定するストッパピンと、通常運転時は収納され点検作業時に乗りかごの昇降域に組み立てられる点検作業台と、点検作業台を格納しないときはストッパピンをカウンタウエイトとカウンタウエイト用ガイドレールとにロックする電気錠とを備えたエレベータ装置を提案する。
【００１６】
本発明は、さらに、乗りかごにロープで繋がれたカウンタウエイトとカウンタウエイト用ガイドレールとに差し込まれ乗りかごの動きを機械的に固定するストッパピンと、通常運転時は収納され点検作業時に乗りかごの昇降域に組み立てられる点検作業台と、カウンタウエイトとカウンタウエイト用ガイドレールとにストッパピンを差し込まないときは点検作業台を収納位置にロックする電気錠と、点検作業台を格納しないときはストッパピンをカウンタウエイトとカウンタウエイト用ガイドレールとにロックする電気錠とを備えたエレベータ装置を提案する。
【００１７】
いずれのエレベータ装置においても、カウンタウエイトとカウンタウエイト用ガイドレールとにストッパピンを差し込んだときに乗りかごの運転を停止させるスイッチを備えることができる。
【００１８】
また、点検作業台を収納していないときに乗りかごの運転を停止させるスイッチを備えてもよい。
【００１９】
カウンタウエイトとカウンタウエイト用ガイドレールとにストッパピンを差し込まないときは点検作業台を収納位置にロックする電気錠を備えたので、ストッパピンをカウンタウエイトとガイドレールとに差し込まなければ、点検作業台を組み立てられない。
【００２０】
一方、点検作業台を格納しないときはストッパピンをカウンタウエイトとカウンタウエイト用ガイドレールとにロックする電気錠を備えたので、点検作業台を格納しなければ、ストッパピンが抜けない。
【００２１】
その結果、上記機構の機能を誤って無効にしてしまうというおそれが無くなる。
【発明の効果】
【００２２】
本発明によれば、制御盤点検作業時、乗りかごの動きを機械的に制限できる。
【００２３】
ストッパピンをカウンタウエイトとそのガイドレールとに差し込まなければ、点検作業台が組み立てられない。すなわち、乗りかごの動きを機械的に制限しないでは点検作業ができないので、安全である。
【００２４】
点検作業台を組み立てて点検作業をしているときは、ストッパピンが固定されているため、抜け落ちることがなく、誤ってストッパピンを抜こうとしても抜けないので、安全である。
【００２５】
さらに、点検作業台を組み立てたままでは、ストッパピンを抜くことができないので、点検作業台の格納忘れを防止できる効果も得られる。
【発明を実施するための最良の形態】
【００２６】
次に、図１および図２を参照して、本発明によるエレベータ装置の実施形態を説明する。
【００２７】
図１は、本発明によるエレベータ装置の実施形態の構成を示す側面図である。
【００２８】
図１の機械室の無いエレベータでは、エレベータの昇降路１内に、制御盤２と、点検作業台３とが設置されている。シーブ８およびプーリ９に掛けられたメインロープ５の一端には、乗りかご４が吊され、他端には、カウンタウエイト用ガイドレール７にガイドされたカウンタウエイト６が吊されている。
【００２９】
カウンタウエイト６およびカウンタウエイト用ガイドレール７には、乗りかご４を固定するストッパピン１０を挿入するための孔があけられている。
【００３０】
ストッパピン１０の作動領域には、カウンタウエイト６とカウンタウエイト用ガイドレール７とにストッパピン１０を差し込み始めるとＯＦＦになるスイッチ１１と、カウンタウエイト６とカウンタウエイト用ガイドレール７とにストッパピン１０を完全に差し込むとＯＮになるスイッチ１２とが配置されている。
【００３１】
一方、点検作業台３の作動領域には、スイッチ１２の接点がＯＮになると、点検作業台３を取り出せるように開錠する電気錠１３と、点検作業台３を格納するとＯＮになるスイッチ１４と、点検作業台３を格納するとＯＦＦになるスイッチ１５とが配置されている。  なお、スイッチ１５の接点がＯＮ状態ではストッパピン１０が抜けなくなるように施錠する電気錠１６が、ストッパピン１０の作動領域に配置されている。
【００３２】
また、乗りかごが最下階のときの位置４ａは、点検作業台３を格納せずに乗りかご４を昇降させれば、点検作業台３と乗りかご４とが干渉することを示している。
【００３３】
図２は、本発明によるエレベータ装置の実施形態の電気回路の構成の一例を示す回路図である。
【００３４】
図２において、スイッチ１１がＯＮ状態で、かつ、スイッチ１４がＯＮになると、エレベータの運転／停止を切り替えるリレー１７が励磁され、エレベータは走行可能となる。スイッチ１１，１４の状態がそれ以外のときは、リレー１７が消磁され、エレベータは停止となる。
【００３５】
スイッチ１２がＯＮになると、電気錠１３が励磁されて開錠するので、点検作業台３を取り出せるようになる。
【００３６】
スイッチ１５の接点がＯＮ状態では、電気錠１６が励磁され、ストッパピン１０を施錠して抜けないようにする。
【００３７】
作業者は、制御盤２を点検するために乗りかご４を最上階に停止させる。その後、昇降路１のピットに入り、ストッパピン１０をカウンタウエイト６の孔とカウンタウエイト用ガイドレール７の孔とに差し込む。
【００３８】
このとき、差し込み始めにスイッチ１１がＯＦＦになり、リレー１７が消磁され、エレベータは電気的に停止する。その結果、まず、乗りかご４の動きを電気的に制限できる。
【００３９】
カウンタウエイト６の孔とカウンタウエイト用ガイドレール７の孔とにストッパピン１０を完全に差し込むと、乗りかご４の動きを機械的に制限できる。
【００４０】
また、完全に差し込むと、スイッチ１２の接点がＯＮになり、電気錠１３が励磁されて開錠するので、点検作業台３が取り出し可能となる。
【００４１】
作業者が点検作業台３を組み立てたときには、点検作業台３がスイッチ１４から離れるため、スイッチ１４の接点がＯＦＦになり、リレー１７は、スイッチ１１とスイッチ１４とで２重に遮断され、電気的安全性がより一層確実になる。
【００４２】
点検作業台３を組み立てたときには、点検作業台３がスイッチ１５から離れるため、スイッチ１５の接点がＯＮ状態で、電気錠１６が励磁されて施錠し、ストッパピン１０を抜けなくなる。
【００４３】
この状態で、作業者は、組み立てた点検作業台３に乗り、安心して制御盤を点検できる。
【００４４】
点検終了後、作業者が点検作業台３を格納すると、スイッチ１４の接点がＯＮになり、リレー１７はスイッチ１１のみによる遮断となる。
【００４５】
また、点検作業台３を格納すると、スイッチ１５の接点がＯＦＦになり、電気錠１６が消磁されて開錠し、ストッパピン１０を抜けるようになる。
【００４６】
作業者がストッパピン１０を抜き始めると、スイッチ１２の接点がＯＦＦになり、電気錠１３が消磁されて施錠し、点検作業台３を取り出せなくなる。
【００４７】
完全に抜くと、スイッチ１１の接点がＯＮ状態になり、リレー１７が励磁され、エレベータを運転可能となる。
【００４８】
本実施形態によれば、制御盤点検作業時、電気的のみならず乗りかごの動きを機械的に制限できる。
【００４９】
また、ストッパピン１０をカウンタウエイト６とカウンタウエイト用ガイドレール７とに差し込まなければ、点検作業台３を組み立てられないので、機械的な乗りかごの動きを制限しないままでは点検作業ができないので、安全である。
【００５０】
一方、点検作業台３を組み立てて点検作業しているときは、ストッパピン１０が固定されているため、ストッパピン１０が抜け落ちることはなく、誤ってストッパピン１０を抜こうとしても、抜くことができないので、安全である。
【００５１】
さらに、点検作業台３を組み立てたままでは、ストッパピン１０を抜くことができないので、点検作業台３の格納忘れを防止できる。
【図面の簡単な説明】
【００５２】
【図１】本発明によるエレベータ装置の実施形態の構成を示す側面図である。
【図２】本発明によるエレベータ装置の実施形態の電気回路の構成の一例を示す回路図である。
【符号の説明】
【００５３】
１  エレベータの昇降路
２  制御盤
３  点検作業台
４  乗りかご
５  メインロープ
６  カウンタウエイト
７  カウンタウエイト用ガイドレール
８  シーブ
９  プーリ
１０  ストッパピン
１１  スイッチ
１２  スイッチ
１３  電気錠
１４  スイッチ
１５  スイッチ
１６  電気錠
１７  リレー
【図１】
2005179015.tif 000003
【図２】
2005179015.tif 000004